(57)【要約】      （修正有）【課題】区画体の貫通部における火炎による延焼を、簡便かつ、より確実に防止することのできる耐火性に優れた、鋼製電線管用のブッシングを提供する。【解決手段】防火区画体であるコンクリート壁に設けられた貫通部の貫通孔に装着されるスリーブ用のブッシングは、熱膨張性材料を含む。ケーブルをスリーブ内に引き込むときに絶縁できるだけでなく、火災時にブッシングとケーブルの間の空間への火炎の侵入を防ぐこともできる。【選択図】図１
2016172997.tif 000002
【特許請求の範囲】
【請求項１】
貫通孔が設けられた区画体の貫通部の該貫通孔に装着されるスリーブ用のブッシングであって、熱膨張性材料を含むことを特徴とするブッシング。
【請求項２】
前記熱膨張性材料が絶縁性であり、かつブッシングの環状本体の内周側に設けられていることを特徴とする請求項１に記載のブッシング。
【請求項３】
前記熱膨張性材料が、ブッシングの環状本体の全体に含まれるか、または
環状本体が、内周部を含む内側部分と、前記内側部分より外側の、外周部を含む外側部分とを備え、前記熱膨張性材料が、ブッシングの環状本体の内側部分に含まれることを特徴とする請求項１または２に記載のブッシング。
【請求項４】
貫通孔が設けられた区画体の貫通部の耐火構造であって、
貫通孔に装着されたスリーブと、
前記スリーブの端部に取り付けられた請求項１〜３のいずれか一項に記載のブッシングと
を備えたことを特徴とすることを特徴とする耐火構造。
【請求項５】
スリーブに挿通された配管又はケーブルと、
前記ブッシングの外周面と前記配管又はケーブルの外周面とを被覆し、前記スリーブの前記端部と前記配管又はケーブルとの間の隙間を閉塞するカバー部材と
をさらに備えたことを特徴とする請求項４に記載の耐火構造。
【発明の詳細な説明】
【技術分野】
【０００１】
本発明は、建築物における区画貫通部の貫通孔に装着されるスリーブ用のブッシング及び該ブッシングを備えた耐火構造に関する。
【背景技術】
【０００２】
建築物内などを区画する壁、床、板などの区画体には、配管又はケーブル用の貫通孔が設けられており、かかる区画貫通部には火災時の延焼を防止するための耐火構造が施工されている。例えば特許文献１には、貫通孔が設けられた区画体の貫通部構造であって、貫通孔に貫装されたスリーブと、スリーブの端部に装着されたブッシングと、スリーブに挿通されたケーブルと、スリーブの一方の端部とケーブルとの間の隙間を覆う熱膨張性シートとを有する貫通部構造が開示されている。
【先行技術文献】
【特許文献】
【０００３】
【特許文献１】特開2007-312599
【発明の概要】
【発明が解決しようとする課題】
【０００４】
特許文献１では、鋼製電線管などを通して機器等に引き込むケーブルをスリーブの外部から絶縁するために、ブッシング（碍管）がスリーブの端部に設置されているが、ブッシングは公知の絶縁性の樹脂等により形成された成形品であり、ブッシングの耐火性については着目されていなかった。
【０００５】
本発明の目的は、区画体の貫通部における火炎による延焼を、簡便かつ、より確実に防止することのできるブッシング及びかかるブッシングを備えた耐火構造を提供することにある。
【課題を解決するための手段】
【０００６】
本発明者らは、上記の目的を達成すべく、ブッシングに熱膨張性材料を含有させることで、火災時にブッシングとケーブルの間の空間への火炎の侵入を防ぐことができることを見出し、本発明を完成するに至った。
【０００７】
すなわち、本発明は以下の通りである。
［１］貫通孔が設けられた区画体の貫通部の該貫通孔に装着されるスリーブ用のブッシングであって、熱膨張性材料を含むことを特徴とするブッシング。
［２］前記熱膨張性材料が絶縁性であり、かつブッシングの環状本体の内周側に設けられていることを特徴とする項１に記載のブッシング。
［３］前記熱膨張性材料が、ブッシングの環状本体の全体に含まれるか、または
環状本体が、内周部を含む内側部分と、前記内側部分より外側の、外周部を含む外側部分とを備え、前記熱膨張性材料が、ブッシングの環状本体の内側部分に含まれることを特徴とする項１または２に記載のブッシング。
［４］貫通孔が設けられた区画体の貫通部の耐火構造であって、
貫通孔に装着されたスリーブと、
前記スリーブの端部に取り付けられた項１〜３のいずれか一項に記載のブッシングと
を備えたことを特徴とすることを特徴とする耐火構造。
［５］スリーブに挿通された配管又はケーブルと、
前記ブッシングの外周面と前記配管又はケーブルの外周面とを被覆し、前記スリーブの前記端部と前記配管又はケーブルとの間の隙間を閉塞するカバー部材と
をさらに備えたことを特徴とする項４に記載の耐火構造。
【発明の効果】
【０００８】
本発明によれば、ブッシングが熱膨張性材料を含むため、ケーブルをスリーブ内に引き込むときに絶縁できるだけでなく、火災時にブッシングとケーブルの間の空間への火炎の侵入を防ぐこともでき、区画体の貫通部における火炎による延焼を、簡便かつ、より確実に防止することができる。
【図面の簡単な説明】
【０００９】
【図１】（ａ）本発明の第１実施形態の区画体の貫通部の耐火構造を示す断面図。（ｂ）ブッシングの例を示す斜視図。（ｃ）図１（ａ）におけるブッシングの要部拡大図。
【図２】本発明の第２実施形態の区画体の貫通部の耐火構造を示す断面図。
【図３】本発明の第３実施形態の区画体の貫通部の耐火構造を示す断面図。
【図４】ブッシングの別例を示す斜視図。
【図５】熱膨張性シートの配置の別例を示す断面図。
【図６】熱膨張性ケーシングの例を示す断面図。
【発明を実施するための形態】
【００１０】
（第１実施形態）
本発明を建築物における区画体の貫通部の耐火構造に具体化した第１実施形態について図１（ａ）〜（ｃ）に従って説明する。
【００１１】
図１（ａ）は防火区画体貫通部構造を示す。図１（ａ）において、１０は防火区画体であるコンクリート壁であり、このコンクリート壁１０にケーブル用貫通孔１１が設けられている。このケーブル用貫通孔１１には電線管であるスリーブ１２が貫装されている。スリーブ１２の両端部には、電線であるケーブル１４を保護する電気絶縁性のブッシング１３，１３が施されている。スリーブ１２は金属製、特には鋼製で、一般に耐火性を有しており、スリーブ１２内には複数のケーブル１４,１４,・・・が挿通されている。
【００１２】
ブッシング１３は、ケーブル１４が動いた際にスリーブ１２の端部でケーブル１４を傷つけないようにするためのものであり、図１（ｂ）に示すように、ブッシング１３は、熱膨張性材料からなる、中空の略円形の断面を有する環状本体１３Ａを備え、環状本体１３Ａによって区画された貫通孔１３Ｃにケーブル１４が挿通される。環状本体１３は環状本体１３Ａに設けられた断面略円環状の溝によりスリーブ１２を収容する。環状本体１３Ａの上には、作業者によるブッシング１３のスリーブ１２への着脱を容易にするための複数の突起部１３Ｂが環状本体１３Ａの側面に等間隔に設けられている。さらに図１（ｃ）に示すように、環状本体１３Ａの環状の内側部分（環状本体１３Ａに設けられたスリーブ１２を収容する溝より内方）である内周部１３Ｄと、環状本体１３Ａの環状の外側部分（環状本体１３Ａに設けられたスリーブ１２を収容する溝より外方）である外周部１３Ｅとは縁部１３Ｆを介して連続しており、内周部１３Ｄはスリーブ１２の端部に装着された状態で、ケーブル用貫通孔１１内でケーブル１４と対面する。
【００１３】
この第１実施形態では、スリーブ１２として外径38.1ｍｍ、長さ300ｍｍの鋼製電線管（JISC8305）を用い、これを厚さ100ｍｍのコンクリート壁１０に予め埋設し、スリーブ１２の径に適合したブッシング１３をスリーブ１２の端部に装着した。ケーブル１４としてCV38mm２×４心のケーブルを用いる。
【００１４】
本実施形態の防火区画体貫通部構造によれば、一方の室内側（図１のコンクリート壁１０の右側かつスリーブ１２の外側）で火災が発生した場合、その火災によりスリーブ１２の外側のケーブル１４,１４,・・・が焼失しても、スリーブ１２の一端１２Ａに装着したブッシング１３が熱膨張する。より詳細には、ケーブル１４に対面するブッシング１３の環状本体１３Ａの内周部１３Ｄが膨張し、ケーブル１４の周囲に膨張断熱層を形成する。この膨張断熱層がケーブル１４,１４,・・・とスリーブ１２との間の隙間を閉塞するので、熱や火炎がスリーブ１２内を伝搬することを防ぎ、一方の部屋（図１のコンクリート壁１０の右側の部屋）からスリーブ１２内を通って他方の部屋（図１のコンクリート壁１０の左側の部屋）へ熱や火炎や煙が入り込んでしまうことが防止され、火災による延焼が防止される。
【００１５】
また、他方の室内側（図１のコンクリート壁１０の左側の部屋）で火災が発生した場合も、火災による室内の温度や圧力が上昇し、スリーブ１２を通って熱や火炎が反対側の部屋（図１のコンクリート壁１０の右側の部屋） に伝搬しようとしても、ブッシング１３がスリーブ１２に装着されてあることにより、ブッシング１３の内周部１３Ｄが熱膨張してスリーブ１２の内周面に接触してスリーブ１２の端部１２Ａを閉塞し、他方の部屋（図１のコンクリート壁１０の右側の部屋）へ熱や火炎や煙が入り込んでしまうことが防止され、火災による延焼が防止される。
【００１６】
上記のように、第１実施形態の構成によれば、熱膨張性材料からなる絶縁性のブッシング１３をブッシング１３の端部１２Ａに配置することで、ケーブル１４をスリーブ１２内に引き込むときに絶縁できるだけでなく、火災時にブッシング１３内に位置するブッシング１３の環状本体１３Ａの内周部１３Ｄが膨張し、区画体の一方の空間から他方の空間へとスリーブ内を通って熱や火炎や煙が入り込むことが防止され、区画体の貫通部における火炎による延焼を、簡便かつ、より確実に防止することができる。
【００１７】
ブッシング１３を構成する熱膨張性材料について以下に詳しく説明する。ブッシング１３は絶縁性の熱膨張性材料、具体的にはバインダー又はマトリックスとしての熱可塑性樹脂、ゴム物質、又は熱硬化性樹脂などの合成樹脂、熱膨張性黒鉛、及び無機充填材を含む、熱膨張性樹脂組成物から形成された、火災時の熱により膨張する成形品である。成形は射出成型や押出し成形などの公知の方法により行うことが可能である。
【００１８】
ブッシング１３を構成する熱膨張性樹脂組成物は、燃焼により焼失した部分を膨張成分が埋める材料から形成であれば特に限定されないが、好ましくは５０ｋＷ／ｍ2の加熱条件下で３０分間加熱した後の体積膨張率が元の体積の２倍以上４０倍以下、より好ましくは３倍以上４０倍以下、更に好ましくは１０倍以上４０倍以下である。体積膨張率が２倍を上回ると、膨張成分が合成樹脂の焼失部分を十分に埋めることができる防火性能が発揮され、また４０倍以下であると、膨張断熱層の強度が維持され、火炎の貫通を防止する効果が維持されるため、前記の範囲が好ましい。
【００１９】
熱可塑性樹脂としては、例えば、ポリプロピレン系樹脂、ポリエチレン系樹脂、ポリブテン系樹脂、ポリペンテン系樹脂等のポリオレフィン系樹脂、ポリスチレン系樹脂、アクリロニトリル−ブタジエン−スチレン系樹脂、ポリカーボネート系樹脂、ポリフェニレンエーテル系樹脂、アクリル系樹脂、ポリアミド系樹脂、ポリ塩化ビニル系樹脂等が挙げられる。
【００２０】
ゴム物質としては、例えば、天然ゴム（ＮＲ）、イソプレンゴム（ＩＲ）、ブタジエンゴム（ＢＲ）、１，２−ポリブタジエンゴム（１，２−ＢＲ）、スチレン−ブタジエンゴム（ＳＢＲ）、クロロプレンゴム（ＣＲ）、ニトリルゴム（ＮＢＲ）、ブチルゴム（ＩＩＲ）、エチレン−プロピレンゴム（ＥＰＲ、ＥＰＤＭ）、クロロスルホン化ポリエチレン（ＣＳＭ）、アクリルゴム（ＡＣＭ、ＡＮＭ）、エピクロルヒドリンゴム（ＣＯ、ＥＣＯ）、多加硫ゴム（Ｔ）、シリコーンゴム（Ｑ）、フッ素ゴム（ＦＫＭ、ＦＺ）、ウレタンゴム（Ｕ）等が挙げられる。
【００２１】
熱硬化性樹脂としては、例えば、ポリウレタン、ポリイソシアネート、ポリイソシアヌレート、フェノール樹脂、エポキシ樹脂、尿素樹脂、メラミン樹脂、不飽和ポリエステル樹脂、ポリイミド等が挙げられる。
【００２２】
これらの樹脂は、単独で用いても、２種以上を併用してもよい。これらの樹脂のうち、後述する熱膨張性黒鉛を配合する場合に、その膨張温度以下で成形可能であるという観点から、ポリオレフィン系樹脂又はゴム物質が好ましく、中でもポリエチレン系樹脂が好ましい。また、防火性能をより向上させるために、充填剤を多量に配合することが可能であるという観点からは、ゴム物質が好ましい。さらに、樹脂自体の難燃性を上げて防火性能を向上させるという観点からは、フェノール樹脂、エポキシ樹脂が好ましい。特に分子構造の選択が広範囲で、樹脂組成物の防火性能や力学物性を調整することが容易であることから、エポキシ樹脂が好ましい。
【００２３】
膨張性黒鉛は、従来公知の物質であり、天然鱗状グラファイト、熱分解グラファイト、キッシュグラファイト等の粉末を濃硫酸、硝酸、セレン酸等の無機酸と、濃硝酸、過塩素酸、過塩素酸塩、過マンガン酸塩、重クロム酸塩、過酸化水素等の強酸化剤とで処理してグラファイト層間化合物を生成させたもので、炭素の層状構造を維持したままの結晶化合物である。このように酸処理して得られた熱膨張性黒鉛は、さらにアンモニア、脂肪族低級アミン、アルカリ金属化合物、アルカリ土類金属化合物等で中和したものを使用するのが好ましい。
【００２４】
熱膨張性黒鉛の粒度は、２０〜２００メッシュが好ましい。粒度が２００メッシュより小さくなると、黒鉛の膨張度が小さく、十分な膨張断熱層が得られず、また粒度が２０メッシュより大きくなると、黒鉛の膨張度が大きいという利点はあるが、樹脂に配合する際に分散性が悪くなり、物性の低下が避けられない。熱膨張性黒鉛の市販品としては、例えば、東ソー社製「ＧＲＥＰ−ＥＧ」、ＧＲＡＦＴＥＣＨ社製「ＧＲＡＦＧＵＡＲＤ」等が挙げられる。
【００２５】
熱膨張性樹脂組成物には、さらに無機充填剤を配合することが好ましい。無機充填剤は、膨張断熱層が形成される際、熱容量を増大させ伝熱を抑制するとともに、骨材的に働いて膨張断熱層の強度を向上させる。
【００２６】
無機充填剤としては特に限定されず、例えば、アルミナ、酸化亜鉛、酸化チタン、酸化カルシウム、酸化マグネシウム、酸化鉄、酸化錫、酸化アンチモン、フェライト類等の金属酸化物；水酸化カルシウム、水酸化マグネシウム、水酸化アルミニウム、ハイドロタルサイト等の含水無機物；塩基性炭酸マグネシウム、炭酸カルシウム、炭酸マグネシウム、炭酸亜鉛、炭酸ストロンチウム、炭酸バリウム等の金属炭酸塩；硫酸カルシウム、石膏繊維、ケイ酸カルシウム等のカルシウム塩；シリカ、珪藻土、ドーソナイト、硫酸バリウム、タルク、クレー、マイカ、モンモリロナイト、ベントナイト、活性白土、セピオライト、イモゴライト、セリサイト、ガラス繊維、ガラスビーズ、シリカ系バルン、窒化アルミニウム、窒化ホウ素、窒化ケイ素、カーボンブラック、グラファイト、炭素繊維、炭素バルン、木炭粉末、各種金属粉、チタン酸カリウム、硫酸マグネシウム「ＭＯＳ」（商品名）、チタン酸ジルコン酸鉛、アルミニウムボレート、硫化モリブデン、炭化ケイ素、ステンレス繊維、ホウ酸亜鉛、各種磁性粉、スラグ繊維、フライアッシュ、脱水汚泥等が挙げられる。これらの無機充填剤は単独で用いても、２種以上を併用してもよい。
【００２７】
無機充填剤の粒径としては、０．５〜１００μｍが好ましく、より好ましくは１〜５０μｍである。無機充填剤は、添加量が少ないときは、分散性が性能を大きく左右するため、粒径の小さいものが好ましいが、０．５μｍ未満になると二次凝集が起こり、分散性が悪くなる。添加量が多いときは、高充填が進むにつれて、樹脂組成物の粘度が高くなり成形性が低下するが、粒径を大きくすることで樹脂組成物の粘度を低下させることができる点から、粒径の大きいものが好ましい。粒径が１００μｍを超えると、成形体の表面性、樹脂組成物の力学的物性が低下する。
【００２８】
上記無機充填剤の中では、特に含水無機物及び／ 又は金属炭酸塩が好ましい。含水無機物と金属炭酸塩は、骨材的な働きをするところから、燃焼残渣の強度向上や熱容量の増大に寄与するものと考えられる。特に、周期律表Ｉ Ｉ 族又はＩ Ｉ Ｉ 族に属する金属の炭酸塩（ 炭酸カルシウム、炭酸マグネシウム） は、樹脂組成物（ Ｉ ） の燃焼時に発泡して焼成物を形成するため、形状保持性を高める点から好ましい。
【００２９】
上記水酸化カルシウム、水酸化マグネシウム、水酸化アルミニウム等の含水無機物は、加熱時の脱水反応によって生成した水のために吸熱が起こり、温度上昇が低減されて高い耐熱性が得られる点、及び、加熱残渣として酸化物が残存し、これが骨材となって働くことで残渣強度が向上する点で特に好ましい。水酸化マグネシウムと水酸化アルミニウムは、脱水効果を発揮する温度領域が異なるため、併用すると脱水効果を発揮する温度領域が広がり、より効果的な温度上昇抑制効果が得られる。
【００３０】
無機充填剤としては、例えば、水酸化アルミニウムでは、粒径１８μｍの「ハイジライトＨ−３１」（昭和電工社製）、粒径２５μｍの「Ｂ３２５」（ＡＬＣＯＡ社製）、炭酸カルシウムでは、粒径１．８μｍの「ホワイトンＳＢ赤」（備北粉化工業社製）、粒径８μｍの「ＢＦ３００」（備北粉化工業社製）等が挙げられる。
【００３１】
熱膨張性樹脂組成物では、膨張断熱層の強度を増加させ防火性能を向上させるために、前記の各成分に加えて、さらにリン化合物を添加してもよい。リン化合物としては、特に限定されず、例えば、赤リン；トリフェニルホスフェート、トリクレジルホスフェート、トリキシレニルホスフェート、クレジルジフェニルホスフェート、キシレニルジフェニルホスフェート等の各種リン酸エステル；リン酸ナトリウム、リン酸カリウム、リン酸マグネシウム等のリン酸金属塩；ポリリン酸アンモニウム類；下記化学式（１）で表される化合物等が挙げられる。これらのうち、防火性能の観点から、赤リン、ポリリン酸アンモニウム類、及び、下記化学式（１）で表される化合物が好ましく、性能、安全性、コスト等の点においてポリリン酸アンモニウム類がより好ましい。
【００３２】
【化１】
2016172997.tif 000003
【００３３】
化学式（１）中、Ｒ１及びＲ３は、水素、炭素数１〜１６の直鎖状あるいは分岐状のアルキル基、又は、炭素数６〜１６のアリール基を表す。Ｒ２は、水酸基、炭素数１〜１６の直鎖状あるいは分岐状のアルキル基、炭素数１〜１６の直鎖状あるいは分岐状のアルコキシル基、炭素数６〜１６のアリール基、又は、炭素数６〜１６のアリールオキシ基を表す。
【００３４】
赤リンとしては、市販の赤リンを用いることができるが、耐湿性、混練時に自然発火しない等の安全性の点から、赤リン粒子の表面を樹脂でコーティングしたもの等が好適に用いられる。ポリリン酸アンモニウム類としては特に限定されず、例えば、ポリリン酸アンモニウム、メラミン変性ポリリン酸アンモニウム等が挙げられるが、取り扱い性等の点からポリリン酸アンモニウムが好適に用いられる。市販品としては、例えば、クラリアント社製「ＡＰ４２２」、「ＡＰ４６２」、Ｂｕｄｅｎｈｅｉｍ  Ｉｂｅｒｉｃａ社製「ＦＲ  ＣＲＯＳ  ４８４」、「ＦＲ  ＣＲＯＳ  ４８７」等が挙げられる。
【００３５】
化学式（１）で表される化合物としては特に限定されず、例えば、メチルホスホン酸、メチルホスホン酸ジメチル、メチルホスホン酸ジエチル、エチルホスホン酸、プロピルホスホン酸、ブチルホスホン酸、２−メチルプロピルホスホン酸、ｔ−ブチルホスホン酸、２，３−ジメチル−ブチルホスホン酸、オクチルホスホン酸、フェニルホスホン酸、ジオクチルフェニルホスホネート、ジメチルホスフィン酸、メチルエチルホスフィン酸、メチルプロピルホスフィン酸、ジエチルホスフィン酸、ジオクチルホスフィン酸、フェニルホスフィン酸、ジエチルフェニルホスフィン酸、ジフェニルホスフィン酸、ビス（４−メトキシフェニル）ホスフィン酸等が挙げられる。中でも、ｔ−ブチルホスホン酸は、高価ではあるが、高難燃性の点において好ましい。前記のリン化合物は、単独で用いても、２種以上を併用してもよい。
【００３６】
また、樹脂組成物には、その物性を損なわない範囲で、さらにフェノール系、アミン系、イオウ系等の酸化防止剤、金属害防止剤、帯電防止剤、安定剤、架橋剤、滑剤、軟化剤、顔料等が添加されてもよい。また、一般的な難燃剤を添加してもよく、難燃剤による燃焼抑制効果により防火性能を向上させることができる。
【００３７】
熱膨張性耐火材料を構成する樹脂組成物において、熱膨張性黒鉛の配合量は、樹脂成分１００重量部に対して１０〜３００重量部が好ましい。配合量が１０重量部以上であると、体積膨張率が大きく樹脂サッシを構成する合成樹脂製部材が焼失した部分を十分埋めきることができ防火性能が発揮され、３００重量部以下であると機械的強度が維持される。熱膨張性黒鉛の配合量は、より好ましくは２０〜２５０重量部である。
【００３８】
樹脂組成物において、無機充填剤の配合量は、樹脂成分１００重量部に対して１０〜４００重量部が好ましい。配合量が１０重量部以上であると、十分な防火性能が得られ、４００重量部以下であると機械的強度が維持される。無機充填剤の配合量は、より好ましくは４０〜３５０重量部である。
【００３９】
樹脂組成物において、リン化合物を添加する場合、リン化合物の配合量は、樹脂成分１００重量部に対して３０〜３００重量部である。配合量が３０重量部以上であると、膨張断熱層の強度を向上させる効果が十分であり、３００重量部以下であると、機械的強度が維持される。リン化合物の配合量は、より好ましくは４０〜２５０重量部である。
（第２実施形態）
次に本発明の第２実施形態の区画体の貫通部の耐火構造を図２に従って説明する。図１と同じ構成については説明を省略する。
【００４０】
第２実施形態では、第１の実施形態の構成に加えて、スリーブ１２の一端（図１において右端）のブッシング１３の外周部１３Ｅの外表面がカバー部材としての熱膨張性シート２０で巻回されると共に、スリーブ１２の外側の位置でケーブル１４，１４，・・・が熱膨張性シート２０で巻回されており、スリーブ１２の一端とケーブル１４，１４との間の隙間が熱膨張性シート２０により覆われている。
【００４１】
熱膨張性シート２０は、押さえ部材としての針金１６によってケーブル１４,１４,・・・に固定されている。この固定は、熱膨張性シート２０がケーブル１４,１４,・・・に接触する部分を固定すれば十分である。
【００４２】
熱膨張性シート２０は、熱膨張層としてのシート状の樹脂組成物の片面に熱非膨張層としてのアルミガラスクロスを積層したものであり、所定温度以上で加熱されると、厚み方向に膨張して膨張断熱層を形成するようになっている。ここで前記熱膨張層の加熱されたときの膨張の程度は、好ましくは元の体積の２倍以上４０倍以下、より好ましくは３倍以上４０倍以下、更に好ましくは１０倍以上４０倍以下である。
【００４３】
熱膨張性シート２０の熱膨張層としてのシート状の樹脂組成物の成分は、バインダー又はマトリックスとしての熱可塑性樹脂、ゴム物質、又は熱硬化性樹脂などの合成樹脂、熱膨張性黒鉛、及び無機充填材を含み、合成樹脂、熱膨張性黒鉛、及び無機充填材の種類及び含有量は、上述したブッシング１３を構成する熱膨張性樹脂組成物と同じであっても異なっていてもよい。
【００４４】
また、好適には、前記樹脂組成物には粘着性付与剤が混合され、これにより、前記熱膨張性シート２０をスリーブ１２の外周面１２Ｂに直接に又はブッシング１３等を介して間接に粘着することができる。このとき、熱膨張性シート２０を、部分的にブッシング１３を介して外周面１２Ｂに巻き付けると共に、その残部を直接に外周面１２Ｂに巻き付けることもできる。この場合、熱膨張性シート２０は、ブッシング１３と外周面１２Ｂとに跨って巻き付けられた構成となる。
【００４５】
このような熱非膨張層は、火災による熱によって実質的に膨張せず、内側の熱膨張層が外方に膨らむことを妨げるように機能できるものであれば、適宜素材は選択することができる。このため、不燃性や難燃性の材料が望ましい。例えば、ロックウール、セラミックウール、ガラス繊維等を用いた無機繊維紙、難燃剤を表面に塗布した難燃紙、アルミニウム箔、ステンレス箔等の金属箔、アルミニウム箔積層紙、アルミガラスクロス等を用いることができる。
【００４６】
熱膨張性シート２０は、アルミガラスクロスを外側にして巻回される。すなわち、熱膨張性シート２０のスリーブ側２０Ａは、スリーブ１２の一方の端部１２Ａの外周面１２Ｂに粘着されている。ここでは、熱膨張性シート２０のスリーブ側２０Ａは、ブッシング１３を介して外周面１２Ｂに取り付けられている。更に、熱膨張性シート２０のケーブル側２０Ｂはケーブル１４の外周面１４Ａに巻き付けられている。熱膨張性シート２０のケーブル側２０Ｂは、針金１６によって外方から押さえられている。熱膨張性シート２０の作製方法については特開2007-312599に記載されている。
【００４７】
第２実施形態では、第１実施形態の寸法のスリーブ１２、コンクリート壁１０、ブッシング１３、及びケーブル１４に対し、幅60ｍｍ、長さ160mmにカットした熱膨張性シート２０を用いた。
【００４８】
第２実施形態の防火区画体貫通部構造によれば、熱膨張性シート２０を巻き付けた室内側（図１のコンクリート壁１０の右側かつ熱膨張性シート２０の外側）で火災が発生した場合、その火災により熱膨張性シート２０の外側のケーブル１４,１４,・・・が焼失しても、スリーブ１２の一端１２Ａに装着したブッシング１３が熱膨張するのに加えて、スリーブ１２の一端１２Ａにケーブル１４,１４,・・・とともに巻回した熱膨張性シート２０が熱膨張して膨張断熱層を形成する。より詳細には、ケーブル１４に対面するブッシング１３の環状本体１３Ａの内周部１３Ｄが膨張し、ケーブル１４の周囲に膨張断熱層を形成するのに加え、熱膨張性シート２０の熱膨張層が膨張し、更にこれが外方に膨らむのを熱非膨張層が抑え、ケーブル１４の周囲に膨張断熱層を形成する。これらの膨張断熱層がケーブル１４,１４,・・・とスリーブ１２との間の隙間を閉塞するので、熱や火炎がスリーブ１２内を伝搬することを防ぎ、一方の部屋（図１のコンクリート壁１０の右側の部屋）からスリーブ１２内を通って他方の部屋（図１のコンクリート壁１０の左側の部屋）へ熱や火炎や煙が入り込んでしまうことが防止され、火災による延焼がさらに効果的に防止される。
【００４９】
また、熱膨張性シート２０を巻き付けていない室内側（図１のコンクリート壁１０の左側の部屋）で火災が発生した場合も、火災による室内の温度や圧力が上昇し、スリーブ１２を通って熱や火炎が反対側の部屋（図１のコンクリート壁１０の右側の部屋） に伝搬しようとしても、ブッシング１３が熱膨張性シート２０に装着されてあることにより、ブッシング１３の内周部１３Ｄが熱膨張してスリーブ１２の内周面に接触してスリーブ１２の端部１２Ａを閉塞し、他方の部屋（図１のコンクリート壁１０の右側の部屋）へ熱や火炎や煙が入り込んでしまうことが防止され、火災による延焼が防止される。さらに、スリーブ１２の端部１２Ａに熱膨張性シート２０に装着されてあることにより、スリーブ１２の外部への延長内部が酸欠状態となり、且つ熱量の供給が抑制されることによっても延焼を防ぐことができる。
（第３の実施形態）
次に本発明の第３実施形態の区画体の貫通部の耐火構造を図３に従って説明する。図１と同じ構成については説明を省略する。
【００５０】
図３では、防火区画体としての床５０に上下階にケーブルを通すためのケーブル用貫通孔５１を設け、このケーブル用貫通孔１１にスリーブ５２を貫装させ、スリーブ５２にブッシング１３を装着し、スリーブ５２内に複数のケーブル１４,１４,・・・を挿通させた。そして、熱膨張性シート２０を、スリーブ５２の上端部（即ち、一方の端部）５２Ａの外周面５２Ｂにブッシング１３を介して巻き付けた。また、熱膨張性シート２０をケーブル１４にも巻き付け、これにより上端部５２Ａとケーブル１４との間の隙間を覆った。
【００５１】
第３実施形態では、スリーブ５２として外径113.4ｍｍ、長さ300ｍｍの鋼製電線管（JISC8305）を用い、これを厚さ100ｍｍのコンクリート壁１０に予め埋設し、スリーブ１２の径に適合したブッシング１３をスリーブ１２の端部に装着した。ケーブル１４としてCV325mm２のケーブルを用いる。上記熱膨張性シート２０は幅150ｍｍ、長さ460mmにカットして用いる。
【００５２】
第３実施形態によれば、下の階で火災が発生した場合、火災による室内の温度や圧力が上昇し、スリーブ５２を通って熱や火炎が上の階へ伝搬しようとするが、スリーブ５２の上端部にブッシング１３が装着されていることにより、火災時にはブッシング１３がケーブル１４,１４,・・・とスリーブ１２との間の隙間を閉塞するので、熱や火炎がスリーブ５２内を伝搬することが防止される。
【００５３】
さらにはスリーブ５２の上端部に熱膨張性シート２０が巻き付けてあることにより、スリーブ５２の上端部が閉塞された状態となるため、火炎の侵入スリーブ５２の内部が酸欠状態となり、且つ熱量の供給が抑制されるため延焼を防ぐことができ、また、この火災の熱により、熱膨張性シート２０が熱膨張して膨張断熱層を形成し、この膨張断熱層がケーブル１４,１４,・・・とスリーブ５２の上部との間の隙間を閉塞するので、下の階の部屋からスリーブ５２内を通って上の階の部屋へ熱や火炎や煙が入り込んでしまうことが防止され、火災による延焼が防止される。
【００５４】
ところで、火は下から上に燃え上がっていくので、上の階から下の階へ燃え広がることはなく、また床の温度も高くないので、下の階から上の階へ燃え広がることだけを想定しておけばよく、スリーブ５２の上部側のみに熱膨張性シート２０を巻回しておくだけで、延焼の防止を有効に図ることができる。
【００５５】
ここまで、本発明を第１〜３実施形態を例にとって説明してきたが、本発明はこれに限られず、以下のような種々の変形が可能である。
・ブッシング１３は第１〜３実施形態に示したものに限定されず、熱膨張性材料を含有する任意のブッシングであってもよい。例えば図４に示すように、環状本体１３Ａが、２つの異なる部分、すなわち内周部１３Ｄを含む環状本体１３Ａの内側部分１３Ｇと、内側部分１３Ｇより外側の、環状本体１３Ａの外周部１３Ｅを含む環状本体１３Ａの外側部分１３Ｈとから形成されてもよい。この場合、内側部分１３Ｇは熱膨張性材料である上述の熱膨張性樹脂組成物を含み、内側部分１３Ｇとは異なる熱膨張性樹脂組成物又は非熱膨張性樹脂組成物を含む。火災時には、第１実施形態と同様、ケーブル１４に対面するブッシング１３の環状本体１３Ａの内側部分１３Ｇ（及び内周部１３Ｄ）が膨張することで、この膨張断熱層がケーブル１４,１４,・・・とスリーブ１２との間の隙間を閉塞するので、熱や火炎がスリーブ１２内を伝搬することが防止される。
・熱膨張性シート２０は、スリーブ１２の一方の端部だけでなく、図５に示すように、スリーブ１２の両端に巻回されていてもよい。
・スリーブ１２や、スリーブ１２の端部１２Ａ、熱膨張性シート２０及びケーブル１４の間に形成された空間には、耐熱シール材（ 耐火パテ） 、熱膨張性シート、または不燃材からなる充填材（非図示）がさらに設けられてもよい。この不燃材は例えばロックウールやセラミックウールなどである。
・熱膨張性シート２０の代わりに、アルミニウムはく張ガラスクロス（ＡＬＧＣ）テープや、アルミニウムはく張割布、アルミニウムはく張クラフト紙などの不燃性カバー材を用いてもよい。
【００５６】
・熱膨張性シート２０の代わりに、図６に示すように、カバー部材としてのカバーキャップ１２０が設けられていてもよい。カバーキャップ１２０は樹脂成形品である。カバーキャップ１２０は、火災時の熱に対して実質的に非変形のケーシング１２２と、このケーシング１２２の内部空間に充填された熱膨張性材１２４とを備えている。ケーシング１２２には、例えばアルミニウム、スチール材等を用いることができる。熱膨張性材１２４には、上記の第２又は３実施形態で用いた熱膨張性シート２０の熱膨張層の樹脂組成物を使用することができる。ただし後述するように熱膨張性材１２４をスリーブの外周面の粘着に用いないので、粘着性付与剤を混合しなくても良い。
この実施形態では、カバーキャップ１２０は二つの部品１２０Ａ，１２０Ｂから構成されている。この二つの部品１２０Ａ，１２０Ｂは、同一形状であり、部品の共用化が図られている。二つの部品１２０Ａ，１２０Ｂが組み付けられてできるカバーキャップ１２０は、管形状となっており、一方の管端（図６において右側）が半球状に形成され且つその先端には断面円形の先端側開口が設けられている。カバーキャップ１２０の管状部分の内径は適用するスリーブの外径に、先端側開口の内径は適用するケーブル１４の外径に合わせて適宜変更可能である。
【００５７】
ケーシング１２２の内部には、熱膨張性材１２４を充填するための空間が形成されており、この内部空間に熱膨張性材１２４が充填されている。ケーシング１２２の一方の端部（一端）１２２Ａ側は閉止されており、他方の端部（他端）１２２Ｂ側には熱膨張性材１２４が膨張した際に膨出可能な膨出用開口１２２Ｃが設けられている。更に、他端１２２Ｂには組付用フランジ１２２Ｄが形成されている。
【００５８】
次に、このような構成を有するカバーキャップ１２０を用いた貫通部構造について説明する。この実施例２の貫通部構造では、区画体としてのコンクリート壁１０の貫通孔１１にスリーブ１２が貫装されており、このスリーブ１２に１本のケーブル１４が挿通されている。カバーキャップ１２０は、スリーブ１２の一方の端部１２Ａとケーブル１４との間の隙間を覆うように組み付けられる。このとき、カバーキャップ１２０は二つの部品１２０Ａ,１２０Ｂから構成されるため、組み付けが容易である。
【００５９】
この貫通部構造をより詳細に説明すると、ケーシング１２２の一端１２２Ａはスリーブ１２の一方の端部１２Ａの外周面１２Ｂに取り付けられ、他端１２２Ｂはケーブル１４の外周面１４Ａ上又は外周面１４Ａ近傍に配置される。すなわち、膨出用開口１２２Ｃがケーブル１４の外周面１４Ａ上又は外周面１４Ａ近傍に位置する。ここで他端１２２Ｂとケーブル１４の外周面１４Ａとの間には、好適には、粘着テープや粘着剤が設けられる。これにより、ケーブル１４の外周面１４Ａの周囲をより確実に閉塞することができる。
【００６０】
この例では、スリーブ１２の一方の端部１２Ａにブッシング１３が装着されており、ケーシング１２２の一端１２２Ａがブッシング１３を介してスリーブ１２の外周面１２Ｂに取り付けられている。このとき、ケーシング１２２の一端１２２Ａはアルミテープや不燃性のバンド、針金等を用いて適宜スリーブ１２に取り付けることができる。
【００６１】
ケーシング１２２の他端１２２Ｂ側については、ケーブル１４がケーシング１２２の先端側開口を通るように配置して、例えば針金やバンドからなる押さえ部材１６を、組付用フランジ１２２Ｄの周囲に巻き付けることにより固定できる。
【００６２】
この貫通部構造においても、実施例１の試験３と同様にスリーブ１２の一方の端部１２Ａ、カバーキャップ１２０及びケーブル１４の間に形成された空間に、耐熱シール材（ 耐火パテ） 、熱膨張性シート、または不燃材からなる充填材３０を充填することが可能である。
【００６３】
貫通部構造を備える区画体の近傍において火災が発生した場合、その熱によって熱膨張性材１２４が膨張するが、ケーシング１２２の一端１２２Ａ側が閉止されているので、熱膨張性材１２４は膨出用開口１２２Ｃのみから膨出する。しかも、膨出用開口１２２Ｃがケーブル１４の外周面１４Ａ上又は外周面１４Ａ近傍に位置している。従って、増加体積分の熱膨張性材がケーブル１４側に向けて膨出するため、ケーブル１４が焼失した場合であっても早期に且つより確実に隙間を閉塞することができる。
【００６４】
この例では、カバーキャップ１２０が二つの部品から構成されているため、ケーブル１４が挿通された状態でも組み付け可能であり便利である。しかし、カバーキャップ１２０を一部品で構成しても良いし、三つ以上の部品で構成しても良い。また、スリーブ１２の他方の端部１２Ｃ側に、カバーキャップ１２０と同様の第二のカバーキャップ（図示せず）を設けてもよい。
・ケーブル１４は、第１〜３実施形態では電線であったが、他の任意の配管又はケーブルがスリーブ１２内に配置されてもよい。
【符号の説明】
【００６５】
１０・・・区画体としての壁、１１，５１…貫通孔、１２，５２…スリーブ、１３…ブッシング、１２Ａ，５２Ａ…スリーブの端部、１３Ａ…ブッシングの環状本体、１３Ｄ…内周部、１３Ｅ…外周部、１４…ケーブル、１４Ａ…配管又はケーブルの外周面、２０…カバー部材としての熱膨張性シート、１２０…カバー部材としてのカバーキャップ。
【図１】
2016172997.tif 000004
【図２】
2016172997.tif 000005
【図３】
2016172997.tif 000006
【図４】
2016172997.tif 000007
【図５】
2016172997.tif 000008
【図６】
2016172997.tif 000009